(57)【特許請求の範囲】
【請求項１】
多数本のブリスルがブリスル台の表面から突出しているヘアーブラシにおいて、ブリスル台内部にブリスル台の径を変化させて長手方向断面の外形線がなす曲線の曲率を変化させる径調節部材が配設されているとともに、上記径調節部材はブリスル台に接する一端を作用点とし、他端を支点もしくは操作入力が加えられる力点の一方とし、中程を支点もしくは力点の他方としている部材であることを特徴とするヘアーブラシ。
【請求項２】
径調節部材に操作入力を加える操作部が軸方向の端部に設けられていることを特徴とする請求項１記載のヘアーブラシ。
【請求項３】
径調節部材に操作入力を加える操作部が軸回りに回転自在な回転部材であり、該回転部材と径調節部材との間に運動変換部材が介在していることを特徴とする請求項１または２記載のヘアーブラシ。
【請求項４】
操作部の回転位置を規制するロック手段を備えていることを特徴とする請求項３記載のヘアーブラシ。
【請求項５】
ロック手段は操作部に加わる回転力の大きさに応じてロックを解除するものであることを特徴とする請求項４記載のヘアーブラシ。
【発明の詳細な説明】
【０００１】
【発明の属する技術分野】
本発明はヘアーブラシ、殊に毛髪にカール付けを行う際に使用するヘアーブラシに関するものである。
【０００２】
【従来の技術】
毛髪にカール付けを行う際に使用するヘアーブラシは、基端から先端まで同径の円筒状で外周面から多数本のブリスルを突出させた形状となっており、その外周面に巻き付けた毛髪にヘアードライヤーの温風を吹き付けたりスチームによる加湿とその後の乾燥などを行うことによって、毛髪にカール付けを行う。
【０００３】
【発明が解決しようとする課題】
ところで、毛髪にカール付けを行うにあたり、頭の周方向に連続してカール付けを行う場合、円筒状であるがために、カールさせたところと、頭の周方向において隣りのカールさせたところとの間に角ができてしまう。これはヘアーブラシを単なる円筒状ではなく、軸方向の断面を頭の周方向の断面形状に合わせた円弧状となっている筒状とすることで解消することができるが、頭部の周方向の断面形状における各部の曲率は一定ではない上に個人差も大きく、髪形のこともあって、特定の曲率のものとしたのでは問題が残る。
【０００４】
本発明はこのような点に鑑み為されたものであり、その目的とするところは個人差や髪形等にかかわらず、適切なカール付けを行うことができるヘアーブラシを提供するにある。
【０００５】
【課題を解決するための手段】
しかして本発明は、多数本のブリスルがブリスル台の表面から突出しているヘアーブラシにおいて、ブリスル台内部にブリスル台の径を変化させて長手方向断面の外形線がなす曲線の曲率を変化させる径調節部材が配設されているとともに、上記径調節部材はブリスル台に接する一端を作用点とし、他端を支点もしくは操作入力が加えられる力点の一方とし、中程を支点もしくは力点の他方としている部材であることに特徴を有している。本発明によれば、個人差や髪形等に合わせた曲率の曲線をなすものとすることができる。
【００１０】
上記径調節部材に操作入力を加える操作部は軸方向の端部に設けておくことが好ましい。さらに径調節部材に操作入力を加える操作部が軸回りに回転自在な回転部材であり、該回転部材と径調節部材との間に運動変換部材が介在しているものや、操作部の回転位置を規制するロック手段を備えたもの、該ロック手段が操作部に加わる回転力の大きさに応じてロックを解除するものを特に好適に用いることができる。
【００１２】
【発明の実施の形態】
本発明の実施の形態の一例について説明すると、図１及び図２に示すヘアーブラシ１は、温風送風装置を内蔵するヘアードライヤー９の送風口の部分に着脱自在に装着されるもので、外面から多数本のブリスル２０を突出させている円筒状のブリスル台２と、このブリスル台２の軸方向両端に位置する一対のブラシ台３，４とから形成されている。
【００１３】
ヘアードライヤー９の送風口の部分に被せられるブラシ台３は、図２に示すように先端から外筒３０と内筒３２とを突出させたもので、両筒３０，３２の間の空間は通風路３９となっており、また外筒３０には通風口３１が開口している。また、該ブラシ台３は、フック３６が一体に形成された押釦３５を備えており、ばね３７に抗して押釦３５を押し込むことでフック３６を移動させることができるようになっている。
【００１４】
他方のブラシ台４は、ブラシ台３側に向けて突出する筒部４０と該筒部４０の中心に位置するガイド軸４２とを備えたもので、筒部４０には通風口４１と複数個の係合孔４６とを備えている。
そしてブラシ台４はその筒部４０がブラシ台３の外筒３０内にスライド自在にはめ込まれるとともに、ガイド軸４２が内筒３２内にスライド自在にはめ込まれることで、ブラシ台３との間隔が可変とされるものであり、また、ブラシ台３のフック３６がいずれかの係合孔４６に係合することによって、上記間隔が固定される。押釦４５を押せば係合孔４６からフック３６が外れて、ブラシ台３に対してブラシ台４が再度スライド自在となる。図中４３はブラシ台３からブラシ台４を離す方向に付勢するばねである。
【００１５】
外面からブリスル２０を突出させているブリスル台２はポリエステルエラストマーあるいはポリプロピレン等の可撓性を有するとともに伸縮性をもたない（もしくは伸縮性が乏しい）材質からなるもので、円筒状となっている該ブリスル台２はその軸方向両端に上記ブラシ台３，４に引掛係止される係止部２１を備えている。そして該ブリスル台２は、図１(b)から明らかなように、その軸方向に走る複数本の切り溝２２が周方向において等間隔に設けられており、ブリスル台２を上記ブラシ台３，４の間隔変更によって軸方向に圧縮した時、ブリスル台２は図１(a)に示すように、軸方向中程が外側へと膨むように撓むものであり、この時、上記切り溝２２の部分の間隔が広がる。なお、各切り溝２２はブリスル台２の軸方向両端縁には至っていない。また、切り溝２２の各端部はほぼ円形の孔２３として、ブリスル台２を撓ませた時に切り溝２２の端部に応力が集中しないようにしてある。
【００１６】
このヘアーブラシ１においては、上述のようにブラシ台３，４の間隔を変更することによって、ブリスル台２の中程を外側に膨らませることで、単なる円筒状ではなく、軸方向の断面が円弧状をなすものとすることができるとともに、上記間隔を小さくするほど上記円弧の曲率半径が小さくなるものであり、このために毛髪に内巻きカールを付与するに当たり、頭の周方向の断面形状に合わせた曲率の円弧をなすものとした状態で毛髪を巻き付けることで、毛髪に前述の角ができてしまうという問題を個人差や髪形に関係なく解消することができる。
【００１７】
なお、図示例ではブラシ台３，４間の間隔を小さくした時、ブリスル台２が撓んで外側に確実に膨らむように、円筒状の状態では切り溝２２の両縁が相互に接触しているものを示したが、円筒状の状態においても切り溝２２の両縁を離しておき、ブリスル台２の中央部を手で絞った状態でブラシ台３，４間の間隔を小さくすれば、ブリスル台２の内側への撓みでブリスル台２の中程が凹むようにすることができ、この時には、外巻きカールを付与する場合に好適なものとなる。もちろん、外側へ膨らませるか内側へ凹ませるかを選択できるようにしておいてもよい。これはブリスル台２の撓み方向を規制する規制部材を設けるとともに、該規制部材を動かせば、規制方向が切り替わるようにすることで応ずることができる。また、図示例ではブリスル台２における切り溝２２で分割した各帯状部にブリスル２０を夫々１列だけ設けているが、列数は図示例に限るものではない。また、ブリスル台２を膨らませた状態では、軸と直交する断面がほぼ多角形となる関係で、切り溝２２の本数（帯状部の数）はあまり少ないと、カールさせた髪に段がつくことになるために、上記本数は多くしておくことが望ましい。
【００１８】
もっとも、ブリスル台２の材料特性による制約から、上記本数をあまり多くすると、各帯状部のばね弾性の不足により、毛髪を巻き付けた時に内側へと凹んでしまうおそれが生じる。また、ねじれに対してどうしても弱くなる。この場合は、図３に示すように、ブリスル台２の内面側にばね弾性を補強する補強板２５を設けておくとよい。図示例の補強板２５はブリスル台２に一体成形で取り付けている。なお、補強板２５としては合成樹脂製のものや金属製のものを用いることができる。
【００１９】
補強板２５としては上記のようなブリスル台２の内面に裏打ちするものではなく、図４に示すように、ブラシ台３，４に両端を軸着したものとし、該補強板２５の外面にブリスル台２を取り付けてもよい。なお、ブラシ台３，４への取付部分を軸２６による軸着として軸回りに回動自在とする構成は、図１〜図３に示す構成においても採用することができ、回動自在とすることにより、ブリスル台２や補強板２５のブラシ台３，４への取付部分に応力が集中することを避けることができる上に、ブラシ台３，４の間隔を変更してブリスル台２を膨らませることをよりスムーズに行うことができるものとなる。ブラシ台３，４への取付部分のうちのいずれか一方だけを回動自在としたものでもよい。
【００２０】
補強板２５としては、さらに図５に示すように一対のリンク２７，２７からなるものを用いてもよい。各一端が相互に連結されるとともに各他端がブラシ台３，４に夫々軸着された対のリンク２７，２７からなる補強板２５は、前述の補強板２５と同様にブリスル台２の強度を高めてねじれなどに対する抗力を高めるほか、該補強板２５では、ブリスル台２の軸方向中程が最も外側に膨らんだ形態を確実に保たせる。また、ブリスル台２の背面に剛性のあるリンク２７が位置するために、ブリスル台２としてばね弾性よりも適度な柔らかさを優先することができる。
【００２１】
ところで、該ヘアーブラシ１は前述のようにヘアードライヤー９の送風口の部分に装着されるものであり、上記送風口から吐出される温風は、通風路３９と通風口４１，３１を通り、ブリスル台２の切り溝２２のところに設けた吐風口２４から吐出されるのであるが、ブリスル台２を膨らませた時には通風口３１，４１の重なりが大きくなって送風抵抗が低下する上に、切り溝２２の間隔が広がって、吐風口２４からだけではなく、切り溝２２の部分からも温風が吐出されることになり、毛髪に温風が当たる面積が大きくなってセット性が向上するものとなっている。
【００２２】
対のブラシ台３，４間の間隔を変更するための構成としては、図６に示すように、ブラシ台３に設けたナット部３８にブラシ台４を貫通しているねじ軸４８を螺合させたものとしてもよい。ねじ軸４８を回転させてねじ軸４８とナット部３８との螺合を深くすることで、ブラシ台３，４の間隔を短くすることができ、上記螺合を浅くすることで、ブラシ台３，４の間隔を長くすることができる。ブリスル台２のブラシ台４側の端部の係合部２１とブラシ台４との間に配した圧縮コイルばね４９は、ブリスル台２を伸ばす方向の力を加えることで、ブリスル台２が塑性変形して軸方向断面が円弧をなすようになってしまった時にも、ブラシ台３，４の間隔を長くしてブリスル台２を円筒状に戻せば確実に円筒状に戻るようにするために設けたものである。
【００２３】
図７及び図８は、ヘアーブラシ１の先端面にもブリスル２０を設けるために、ブラシ台４を無くしたものを示しており、ここではブリスル台２の内面にねじ軸４８を固着し、ブラシ台３に対してブリスル台２を回転させることで、ブリスル台２の外形状を変化させることができるようにしている。この場合、ブリスル台２を方向性がないほぼ球形とすることが可能であり、このためにブラッシング方向に対して手の位置や角度を自由に選ぶことができるために、手への負担を小さくしてブラッシングすることができる。
【００２４】
図９及び図１０の他の実施の形態の一例を示す。ここでは外周面に多数本のブリスル２０を備えた円筒状のブリスル台２をシリコンゴムあるいはポリエステルエラストマーあるいは耐熱ゴム等の弾性及び伸縮性を有するものにて形成している。またブリスル台２の内部にはブラシ台３とブラシ台４とをつないでいる筒３４と、この筒３４とブリスル台２との間に位置する保持枠５０とが位置している。そして保持枠５０によって中程が回動自在且つスライド自在に支持されている複数本のリンク５で、筒３４外面とブリスル台２内面とが連結されている。
【００２５】
周方向において等間隔に配された上記リンク５によって筒３４に連結されているブリスル台２は、軸方向一端がブラシ台４に固着され、軸方向他端がブラシ台３に軸回りの回転が自在に連結され、ブラシ台４及びブリスル台２に対してブラシ台３（筒３４）を軸回りに回転させることができるようになっていることから、ブラシ台３を回転させたならば、図９に示すように、ブリスル台２はリンク５によってその径を変化させるものであり、リンク５をブリスル台２の軸方向中間部に設けている時、ブリスル台２を図１０(b)に示す円筒状の状態から図１０(a)に示すように軸方向中間部が外側に膨らんだ状態とすることができる上に、このものにおいては、毛髪に外巻きカールを付与するのに好適な状態である図１０(c)に示す軸方向中間部が内側に凹んだ状態とすることもできる。
【００２６】
図５に示した一対のリンク２７，２７は、ブラシ台３，４の間隔の変化に伴ってブリスル台２の径を変化させ、図９及び図１０に示したブリスル台２とその中心部に位置する筒３４とを連結するリンク５は筒３４とブリスル台２との相対的回転でブリスル台２の径を変化させるが、ブリスル台２の内面を押すことでブリスル台２の内径を強制的に変化させる径調節部材の他例を図１１〜図１６に示す。
【００２７】
ブラシ台３から突設されているとともに通風口３１が形成されている筒３４の先端にはブラシ台４とキャップ６６とが固定されているとともにキャップ６６及びブラシ台４に対して軸回りの回転が自在となった操作リング７が取り付けられている。またブラシ台４には放射状に複数本（図示例では６本）の溝６３が設けられており、さらにブラシ台４のブラシ台３側の端面には支点板６４が取り付けられている。
【００２８】
そして上記の各溝６３にはバー６が配設されている。これらバー６はその一端をブリスル台２の軸方向中程に設けられた受け部６２に位置させており、上記回転リング７に設けられて回転リング７と共に回転するカム板７０に形成されたカム孔７１に他端を位置させている。複数個設けられた円弧状のカム孔７１は、カム板７０の中心から一端側までの距離と他端側までの距離とが異なっており、回転リング７を回すことでカム板７０を回転させる時、上記溝６３によって回転が規制されているバー６はカム孔７１内を移動する。この時、バー６は支点板６４との接触位置を中心に傾きを変えることになり、円筒状で且つ弾性及び伸縮性を有するとともにバー６の一端が接しているブリスル台２は、バー６の傾きに応じてその軸方向断面の外形線の曲率を変化させる。図１４〜図１６は曲率をもっとも大きくした状態を示している。
【００２９】
ここで、バー６における支点板６４に接する点からブリスル台２に接する一端までの距離よりも、支点板６４に接する点からカム板７０に接する他端までの距離の方を小さくしているのは、力点側となるバー６の他端側の少しの移動でブリスル台２の径の変化を大きくすることができるようにしているためであり、また、バー６の他端側をブリスル台２の径方向に移動させることを、回転リング７とカム板７０とを用いて回転リング７の回転操作で行えるようにしているのは、ブラシの軸方向全長を変えることなく操作することができるようにするとともに操作を軽く行えるようにするためである。
【００３０】
なお、回転リング７が不用意に回転しないように、ここでは回転リング７の回転を阻止するロック手段を設けている。図示例におけるロック手段は、キャップ６６の内周面に周方向において複数個設けている凹部６７と、該凹部６７に係合する突起７３を備えたロック釦７２であり、一体に形成されたばね片７４，７４によって回転リング７の外方に突出する方向（突起７３が凹部６７と係合する方向）に付勢されたロック釦７２は、回転リング７と一体に回転するように回転リング７に取り付けられており、凹部６７に突起７２を係合させている状態では、キャップ６６及びブラシ台４に対して回転リング７は回転することがなく、ロック釦７２を押し込んで突起７３を凹部６７から外せば、回転リング７を回転させることができる。図示例では凹部６７を４個設けているために、曲率を４段階で調節することができるものとなっている。
【００３１】
もっとも、上記ロック手段はロック時においても回転リング７の回転を完全に阻止するのではなく、回転リング７及びカム板７０に加えられた回転力が大きい時には回転リング７及びカム板７０の回転を許すものとしてある。すなわち、突起７３の先端部をテーパ状のものとし、回転リング７及びカム板７０に大きな回転力が加われば、キャップ６６の凹部６７，６７間の凸部６８が突起７３の傾斜面を押圧することで突起７３をばね７４に抗して押し戻して凹部６７から退去させるために、ロックが解除されるようにしてある。従って、回転リング７を強く回した時には、ロック手段はクリック感を発生させる部材として機能することになり、また落下させた場合のように、バー６を介してカム板７０及び回転リング７を回転させるような過大な力がブリスル台２に加わった時、この回転を許すことになるために、バー６やカム板７０等が変形したり破損したりすることがないものである。
【００３２】
以上の各例では、ブリスル台２が筒状で該ブリスル台２の全周にブリスル２０を突出させているものを示したが、この形状に限定するものではない。たとえば図１７に示すように、ブリスル台２の断面形状がほぼ半円をなすものであってもよい。図１８はブリスル台２の長手方向両端に至らない切り溝２２によってブリスル台２をその短手方向において複数片に分割しているものの他例を示している。
【００３３】
【発明の効果】
以上のように本発明においては、多数本のブリスルがブリスル台の表面から突出しているヘアーブラシにおいて、ブリスル台の長手方向断面の外形線がなす曲線の曲率を可変としているために、ブリスル台の外形線を個人差や髪形等に合わせた曲率の曲線とすることで、個人差や髪形等にかかわらず、適切なカール付けを行うことができて、毛髪に角を生じさせてしまうことがないカール付けを行うことができる。
【００３４】
またブリスル台内部にブリスル台の径を変化させて長手方向断面の外形線がなす曲線の曲率を変化させる径調節部材を配設しているために、長手方向断面の外形線がなす曲線の曲率を変化させることを簡単に実現することができるものであり、しかも上記径調整部材として、ブリスル台に接する一端を作用点とし、他端を支点もしくは操作入力が加えられる力点の一方とし、中程を支点もしくは力点の他方としている部材を用いているために、操作を加える力点側の小型化を図りつつ、ブリスル台の曲率の変化範囲を大きくすることができる。
【００４０】
上記の径調節部材に操作入力を加える操作部は軸方向の端部に設けておくと、毛髪のセットに操作部が邪魔になることがない。
【００４１】
さらに径調節部材に操作入力を加える操作部が軸回りに回転自在な回転部材であり、該回転部材と径調節部材との間に運動変換部材が介在しているものでは、曲率を変化させる際の操作性を良好に保つことができる。
そして操作部の回転位置を規制するロック手段を備えたものでは、曲率が不用意に変化することがなくて、使い勝手の良いものを得ることができ、該ロック手段が操作部に加わる回転力の大きさに応じてロックを解除するものであると、操作部やブリスル台に過大な力が加わった時の径調節部材の破損を防ぐことができる。
【図面の簡単な説明】
【図１】本発明の実施の形態の一例を示すもので、(a)(b)は共に正面図である。
【図２】  (a)(b)は共に同上の断面図である。
【図３】他例の部分断面図である。
【図４】さらに他例の部分断面図である。
【図５】別の例の部分断面図である。
【図６】異なる例の部分断面図である。
【図７】さらに異なる例の断面図である。
【図８】  (a)(b)は共に同上の正面図である。
【図９】本発明の別の実施の形態の一例を示すもので、(a)(b)は共に水平断面図である。
【図１０】  (a)(b)(c)は共に同上の正面図である。
【図１１】同上の他例を示す断面図である。
【図１２】図１１中のＡ−Ａ線断面図である。
【図１３】図１１中のＢ−Ｂ線断面図である。
【図１４】同上の径を変化させた場合を示す断面図である。
【図１５】図１４中のＡ−Ａ線断面図である。
【図１６】図１４中のＢ−Ｂ線断面図である。
【図１７】他の実施の形態の一例の側面図である。
【図１８】さらに他の実施の形態の一例の正面図である。
【符号の説明】
１  ヘアーブラシ
２  ブリスル台
２０  ブリスル
【図１】
0003846002.tif 000002
【図２】
0003846002.tif 000003
【図３】
0003846002.tif 000004
【図４】
0003846002.tif 000005
【図５】
0003846002.tif 000006
【図６】
0003846002.tif 000007
【図７】
0003846002.tif 000008
【図８】
0003846002.tif 000009
【図９】
0003846002.tif 000010
【図１０】
0003846002.tif 000011
【図１１】
0003846002.tif 000012
【図１２】
0003846002.tif 000013
【図１３】
0003846002.tif 000014
【図１４】
0003846002.tif 000015
【図１５】
0003846002.tif 000016
【図１６】
0003846002.tif 000017
【図１７】
0003846002.tif 000018
【図１８】
0003846002.tif 000019